(57)【要約】【課題】用紙断面の物理的形状の顕著な相違を利用して、スレッド挿入用紙の真偽判別を迅速且つ確実に行う。【解決手段】スレッド１に張力を与えて長網により製造した用紙（ａ）と、スレッドに張力を与えずに長網による製法又は円網による単層抄き用紙にスレッドを挿入する製法による用紙（ｂ）、又は円網による２層抄き合わせ用紙の２層間にスレッドを挿入する製法による用紙（ｃ）間の、断面構造の顕著な相違を利用した用紙の真偽判別方法であり、各用紙を集束イオンビームで切断し、（ａ）の切断断面を真正とし、（ｂ）又は（ｃ）を偽物とし、検査対象の用紙と前記真正な用紙の夫々の電子顕微鏡観察による断面像を比較し、両者が一致するの場合には、検査対象の用紙は真正な物と判定し、不一致の場合は、偽物と判定する。【選択図】        図１
2004285507.tif 000002
【特許請求の範囲】
【請求項１】
第１の製造方法により製造した偽造防止スレッド挿入用紙の断面と他の製造方法により製造された偽造防止スレッド挿入用紙の断面との間の断面形状の顕著な相違を利用した偽造防止スレッド挿入用紙の真偽判別方法であって、前記第１の製造方法により製造した偽造防止スレッド挿入用紙を真正の用紙とし、検査対象の偽造防止スレッド挿入用紙の断面観察像と前記第１の製造方法により製造した偽造防止スレッド挿入用紙の断面観察像を比較し、検査対象の偽造防止スレッド挿入用紙の断面観察像が前記第１の製造方法により製造した偽造防止スレッド挿入用紙の断面観察像と一致する場合は、検査対象の偽造防止スレッド挿入用紙を真正な物と判定し、前記比較結果が不一致の場合は、検査対象の偽造防止スレッド挿入用紙を偽物と判定することを特徴とする断面構造によるスレッド挿入用紙の真偽判別方法。
【請求項２】
前記第１の製造方法が、スレッドと該スレッドの周囲の紙料懸濁液との間に相対的な位置変化があるような製造方法であり、その製造方法により製造されたスレッド挿入用紙の断面形状において、紙層にスレッドの扁平な断面の側面から水平方向に、前記位置変化の幅に等しいか若しくは短い分離層が形成されものであることを特徴とする請求項１に記載のスレッド挿入用紙の真偽判別方法。
【請求項３】
前記第１の製造方法が、スレッドに張力を与えてシェーキングした長網により製造する方法であり、その製造方法により製造されたスレッド挿入用紙の断面形状が紙層にスレッドの扁平な断面の側面から水平方向に分離層が形成され、該分離層の長さが、前記相対的位置変化の幅以下であることを特徴とする請求項１に記載のスレッド挿入用紙の真偽判別方法。
【請求項４】
前記第１の製造方法が、スレッドに張力を与えずに長網により製造及び円網による単層抄き用紙にスレッドを挿入する製造する方法であり、その製造方法により製造されたスレッド挿入用紙の断面形状が紙層に何ら分離層が形成されていないことを特徴とする請求項１に記載のスレッド挿入用紙の真偽判別方法。
【請求項５】
前記第１の製造方法は、円網による２層抄き合わせ用紙の２層間にスレッドを挿入する製造する方法であり、その製造方法により製造されたスレッド挿入用紙の断面形状が紙層にスレッドの扁平な断面の側面から紙層の両側端まで長い分離層が形成されていることを特徴とする請求項１に記載のスレッド挿入用紙の真偽判別方法。
【請求項６】
紙層中に偽造防止スレッドが挿入されたスレッド挿入用紙であって、前記用紙の断面形状が紙層にスレッドの扁平な断面の側面から水平方向に分離層が形成され、該分離層が用紙幅未満の長さを有することを特徴とするスレッド挿入用紙。
【請求項７】
前記スレッド挿入用紙の製造方法が、スレッドと該スレッドの周囲の紙料懸濁液との間に相対的な位置変化があるような製造方法であり、その製造方法により製造されたスレッド挿入用紙の断面形状において、前記分離層の長さが、前記相対的位置変化の幅以下に形成されものであることを特徴とする請求項６記載のスレッド挿入用紙。
【発明の詳細な説明】
【０００１】
【発明の属する技術分野】
本発明は、固有の用紙断面形状を有するスレッド挿入用紙、その製造方法及び該スレッド挿入用紙の断面形状を利用した真偽判別方法に関する。
【０００２】
【従来の技術】
従来、印刷物の用紙の真偽判別方法として、用紙自体の紙質の検査により真偽判別を行う方法、用紙に透かし等を施して、施された透かしの真偽により偽造判別を行う方法等があるが、前者は、その検査に紙の素材を特定するための高度な検査方法が、後者も、透かしを正確に検査するための高度な知識が、夫々必要であるため、偽造判別のために、専門的知識を有する者が必要であったり、専門の装置を必要としたりして、コストが増大するという問題があった。また、偽造防止効果を向上させるために、長網抄紙機により単一の紙層中にセキュリティースレッドを挿入するスレッド挿入方法又はスレッド挿入装置（例えば、文献１参照。）がある。スレッド挿入用紙の場合は、用紙にスレッドという偽造防止手段が施されているため、これと前記紙質、透かし等を組み合わせることで偽造防止効果が向上するため、スレッド挿入用紙自身の物理的形状又は断面形状による真偽判別方法はなかった。
【０００３】
【特許文献１】
特開２００１−１３１８９７号公報
【０００４】
【発明が解決しようとする課題】
本発明は前記のような問題点を解消するためになされたもので、本発明の目的は、真偽判別に有効な、固有の用紙断面形状を有するスレッド挿入用紙の断面形状の特徴を利用して、スレッド挿入用紙の真偽判別を迅速且つ確実に行うことである。
【０００５】
【課題を解決するための手段】
本発明は、第１の製造方法により製造した偽造防止スレッド挿入用紙の断面と他の製造方法により製造された偽造防止スレッド挿入用紙の断面との間の断面形状の顕著な相違を利用した偽造防止スレッド挿入用紙の真偽判別方法であって、前記第１の製造方法により製造した偽造防止スレッド挿入用紙を真正の用紙とし、検査対象の偽造防止スレッド挿入用紙の断面観察像と前記第１の製造方法により製造した偽造防止スレッド挿入用紙の断面観察像を比較し、検査対象の偽造防止スレッド挿入用紙の断面観察像が前記第１の製造方法により製造した偽造防止スレッド挿入用紙の断面観察像と一致する場合は、検査対象の偽造防止スレッド挿入用紙を真正な物と判定し、前記比較結果が不一致の場合は、検査対象の偽造防止スレッド挿入用紙を偽物と判定することを特徴とする断面構造によるスレッド挿入用紙の真偽判別方法である。
【０００６】
本発明は、前記第１の製造方法が、スレッドと該スレッドの周囲の紙料懸濁液との間に相対的な位置変化があるような製造方法であり、その製造方法により製造されたスレッド挿入用紙の断面形状において、紙層にスレッドの扁平な断面の側面から水平方向に、前記位置変化の幅に等しいか若しくは短い分離層が形成されものであることを特徴とするスレッド挿入用紙の真偽判別方法である。
【０００７】
本発明は、前記第１の製造方法が、スレッドに張力を与えてシェーキングした長網により製造する方法であり、その製造方法により製造されたスレッド挿入用紙の断面形状が紙層にスレッドの扁平な断面の側面から水平方向に分離層が形成され、該分離層の長さが、前記相対的位置変化の幅以下であることを特徴とするスレッド挿入用紙の真偽判別方法である。
【０００８】
本発明は、前記第１の製造方法が、スレッドに張力を与えずに長網により製造及び円網による単層抄き用紙にスレッドを挿入する製造する方法であり、その製造方法により製造されたスレッド挿入用紙の断面形状が紙層に何ら分離層が形成されていないことを特徴とするスレッド挿入用紙の真偽判別方法である。
【０００９】
本発明は、前記第１の製造方法が、円網による２層抄き合わせ用紙の２層間にスレッドを挿入する製造する方法であり、その製造方法により製造されたスレッド挿入用紙の断面形状が紙層にスレッドの扁平な断面の側面から紙層の両側端まで長い分離層が形成されていることを特徴とするスレッド挿入用紙の真偽判別方法である。
【００１０】
本発明は、紙層中に偽造防止スレッドが挿入されたスレッド挿入用紙であって、前記用紙の断面形状が紙層にスレッドの扁平な断面の側面から水平方向に分離層が形成され、該分離層が用紙幅未満の長さを有することを特徴とするスレッド挿入用紙である。
【００１１】
本発明は、前記スレッド挿入用紙の製造方法が、スレッドと該スレッドの周囲の紙料懸濁液との間に相対的な位置変化があるような製造方法であり、その製造方法により製造されたスレッド挿入用紙の断面形状において、前記分離層の長さが、前記相対的位置変化の幅以下に形成されものであることを特徴とするスレッド挿入用紙である。
【００１２】
【発明の実施の形態】
以下、本発明の実施の形態について、図面に基づいて説明する。
テープ状のスレッドに張力を与えて長網により製造したスレッド挿入用紙は、その製造方法が独特であり、且つ精密さが要求され、製造方法自体模倣し難い上、更に、その断面形状は固有の構造を有するという特徴がある。本発明は、固有の用紙断面形状を有するスレッド挿入用紙、その製造方法を提供すると共に、前記製造方法により製造されたスレッド挿入用紙の断面形状と、他の製造方法により製造したスレッド挿入用紙の断面形状との顕著な違いを利用して、スレッド挿入用紙の偽造判別を行うものである。
【００１３】
スレッド挿入用紙を製造する方法として、長網によりスレッドに張力を加えて抄紙する方法、長網によりスレッドに張力を加えずに抄紙する方法、円網による２層抄き合わせによる方法、円網による単層抄き用紙にスレッドを挿入する方法等がある。
【００１４】
長網抄紙機により製造する場合、図２に示すように、長網７上の紙層縣濁液（図示省略）を均等に分布させるために長網７をシェーキングすることが行われている。更に、長網７のシェーキングにより、スレッド１が蛇行及び／又は捩れ・反転して用紙内に挿入されるという現象が発生していたが、挿入管６からスレッド１を挿入する際にスレッド１に適度の張力を加えることにより、前記スレッド１の蛇行及び／又は捩れ・反転を防止することが可能となった。
捻れ・反転を防止する事を検討した結果、特願平１１−３０７０５１のように挿入管６を長網幅方向に振幅駆動させ、スレッド周囲の紙料懸濁液との位置変化を調整する方法も可能となった。この時、長網７のシェーキング周期と同期させて挿入管を幅方向に駆動すれば、スレッドとスレッド周囲の紙料懸濁液と相対的な位置変化を減少させることも出来る。この時、位置変化を最小限に抑えれば、大きな張力を必要とせずに捻れ・反転を防止する事が可能となった。また逆に適当な張力を与えながらスレッドを挿入し、挿入管を駆動する際に挿入管の位相や振幅を調整すれば、スレッドとスレッド周囲の紙料懸濁液と相対的な位置変化を任意に得ることが可能となった。
【００１５】
スレッド挿入用紙を製造する方法として、スレッドとこのスレッドの周囲の紙料懸濁液との間に相対的な位置変化を生じさせるような製造方法があり、その方法として、例えば、シェーキングを行わない長網または、通常の丸網で、単層の紙層を形成する際に、幅方向にスレッドを振幅駆動しながら製造する方法等がある。また、スレッドに張力を与えて長網をシェーキングして製造する場合でも挿入管を固定しておいたり、スレッドとこのスレッドの周囲の紙料懸濁液との間に相対的な位置変化を生じさせる様に挿入管を用紙幅方向に適当な周期で駆動する方法もある。これらの製造方法により製造されたスレッド挿入用紙の断面構造は、図１（ａ）に示すように、紙層にスレッドの扁平な断面の側面から水平方向に、スレッドとこのスレッドの周囲の紙料懸濁液との間の相対的な位置変化の長さと等しいか、或いは短い分離層を形成する事ができる。
【００１６】
また、スレッドとこのスレッドの周囲の紙料懸濁液との間に相対的な位置ズレがないようなスレッド挿入用紙を製造する方法として、例えば、スレッドに張力を与えずに長網によりスレッド挿入用紙を製造する方法及び円網による単層抄きによりスレッド挿入用紙を製造する方法があり、これらの製造方法により製造されたスレッド挿入用紙等の断面形状は、図１（ｂ）に示すように、紙層に何ら分離層が形成されない。
【００１７】
円網等による２層もしくは多層抄き合わせ用紙の場合、例えば２層間にスレッドを挿入する製造方法により製造したスレッド挿入用紙の断面構造は、図１（ｃ）に示すように、紙層にスレッドの扁平な断面の側面から紙層の両側端までの長さを有する完全に分離した分離層が形成される。
【００１８】
本発明のスレッド挿入用紙の真偽判別方法は、前記のようにスレッド挿入用紙が、その用紙の製造方法の相違により、その断面構造に顕著な相違が生じることを利用するものである。スレッドとこのスレッドの周囲の紙料懸濁液との間に相対的な位置変化を生じさせるような製造方法により製造したスレッド挿入用紙は、その製造方法が独特であり、且つ精密さが要求され、製造方法自体模倣し難い上、更に、その断面構造は固有の構造を有するため、他の製造方法により製造したスレッド挿入用紙に比べて偽造、変造がし難いため、高度な偽造防止効果が要求される製品においては、このスレッド挿入用紙のみ使用し、他の製造方法により製造したスレッド挿入用紙はこの製品には不使用とすることにより、このスレッド挿入用紙は真正な用紙として規定し、他の製造方法により製造したスレッド挿入用紙は偽物と規定して、製品が市中で使用される。
【００１９】
本発明のスレッド挿入用紙の真偽判別方法は、スレッドとこのスレッドの周囲の紙料懸濁液との間に相対的な位置変化を生じさせるような製造方法により製造したスレッド挿入用紙を真正の用紙とし、検査対象のスレッド挿入用紙の断面と前記スレッドとこのスレッドの周囲の紙料懸濁液との間に相対的な位置変化を生じさせるような製造方法により製造したスレッド挿入用紙の断面を比較し、検査対象のスレッド挿入用紙の断面がスレッドとこのスレッドの周囲の紙料懸濁液との間に相対的な位置変化を生じさせるような製造方法により製造したスレッド挿入用紙の断面構造である、紙層にスレッドの扁平な断面の側面から水平方向に短い分離層が形成された構造と一致する場合には、検査対象のスレッド挿入用紙を真正な物と判定し、前記比較結果が、不一致の場合は、検査対象のスレッド挿入用紙を偽物と判定するものである。
【００２０】
なお、他のスレッド挿入用紙の真偽判別方法として、製品の価格、ユーザーニーズ等により、スレッドに張力を与えずに長網により製造した用紙及び円網による単層抄き用紙にスレッドを挿入したスレッド挿入用紙（図１（ｂ）に示すの断面構造）又は円網による２層抄き合わせ用紙の２層間にスレッドを挿入したスレッド挿入用紙（図１（ｃ）に示す断面構造）を真正な物とし、他の製造方法により製造したスレッド挿入用紙を偽物とする方法もある。
【００２１】
本発明のスレッド挿入用紙の真偽判別方法においては、真正なスレッド挿入用紙の断面の作成及び検査対象のスレッド挿入用紙の断面の作成に、例えば集束イオンビーム装置を用いることにより、真偽判別に好適な切断面が形成される。
【００２２】
本発明のスレッド挿入用紙の真偽判別方法は、真正なスレッド挿入用紙の断面及び検査対象のスレッド挿入用紙の断面を電子顕微鏡やその他の光学的観察装置で観察することにより、迅速且つ確実に真偽判別することができる。
【００２３】
【発明の効果】
本発明により、真偽判別に有効な、固有の用紙断面形状を有するスレッド挿入用紙及びその製造方法を提供することができると共に、製造方法の相違によりスレッド挿入用紙の断面形状に相違が発生するという特徴を利用して、電子顕微鏡やその他の光学的観察装置により、スレッド挿入用紙の真偽判別を迅速且つ確実に行うことができる。
【図面の簡単な説明】
【図１】（ａ）本発明のスレッド挿入用紙の断面による偽造判別方法に使用されるスレッドとこのスレッドの周囲の紙料懸濁液との間に相対的な位置変化を生じさせるような製造方法により製造したスレッド挿入用紙の断面を示す図である。
（ｂ）本発明のスレッド挿入用紙の断面による偽造判別方法に使用される円網による単層抄き用紙にスレッドを挿入したスレッド挿入用紙の断面を示す図である。
（ｃ）本発明のスレッド挿入用紙の断面による偽造判別方法に使用される円網による２層抄き合わせにより製造したスレッド挿入用紙の断面を示す図である。
【図２】長網にスレッド挿入用紙を製造する長網抄紙機の概略構成図である。
【符号の説明】
１    スレッド
２    分離層
３    紙層
４    第１の紙層
５    第２の紙層
６    スレッド挿入管
７    長網
８    用紙巻き取りロール
【図１】
2004285507.tif 000003
【図２】
2004285507.tif 000004